(57)【要約】【課題】複数の電気機器を互いに近接した状態でパネルに配置できるとともに、薄型の電気機器にも適用できるようにする。【解決手段】本体１、表示灯２、取付金具３、取付ネジ４、雌ネジ部材５を設けた。本体１をパネル１００の開口部１０１に前面側から貫通させ、パネル１００の背面側で本体１の背面に取付金具３を配置した状態で２本の取付ネジ４のそれぞれのネジ部４１を、取付金具３の貫通孔３４，３５、及び本体１の貫通孔１３にこの順に貫通させ、雌ネジ部材５のネジ孔５３に螺合させる。２本の取付ネジ４をパネル１００の背面側から前面側に向けて締め込んでいくと、取付ネジ４の頭部４２が取付金具３をパネル１００に向けて押圧し、延出部３２，３３の前端がパネル１００の背面に当接する。延出部３２，３３の前端と、本体１のフランジ１４，１５との間にパネル１００を挟持させる。【選択図】図２
2008289263.tif 000002
【特許請求の範囲】
【請求項１】
機器の背面側の一部をパネルに形成された孔部に前記パネルの前面側から背面側に向かって貫通させた状態で、前記機器を前記パネルに取り付けるパネル用機器の取付構造であって、
前記パネルの背面側で前記機器の背面に対向する支持部、及び前記支持部から前記パネルの厚さ方向に沿って前記パネルの背面に向かって延出する延出部を有する取付金具と、
頭部が前記パネルの厚さ方向に沿って前記支持部に当接し、ネジ部が前記支持部及び前記機器の背面をこの順に貫通する取付ネジと、
前記機器の内部で前記ネジ部が螺合する雌ネジ部材と、を備え、
前記機器の前面に形成されたフランジ部と前記延出部の前端との間に前記パネルを挟持するパネル用機器の取付構造。
【請求項２】
前記取付金具は、前記支持部の両端から互いに平行に延出する２個の延出部を備えた請求項１に記載のパネル用機器の取付構造。
【請求項３】
前記雌ネジ部材は、前記ネジ部が螺合するネジ孔を有し、前記機器の内部に着脱自在にされている請求項１又は２に記載のパネル用機器の取付構造。
【請求項４】
前記雌ネジ部材は、前記ネジ部が螺合するネジ孔を有し、前記機器の内部に一体的に形成されている請求項１又は２に記載のパネル用機器の取付構造。
【発明の詳細な説明】
【技術分野】
【０００１】
この発明は、表示灯等の電気機器をパネルに取り付けるためのパネル用機器の取付構造に関する。
【背景技術】
【０００２】
表示灯等の電気機器は、工場設備としての制御盤等のパネルに取り付けられる場合がある。パネルに電気機器を取り付ける構造として、パネルに形成された孔部に電気機器の背面側の一部を前面側から貫通させるようにしたものがある（例えば、特許文献１参照。）。
【０００３】
従来のパネル用機器の取付構造では、電気機器におけるパネルの背面側に露出した部分に金具を装着し、金具に螺合する取付ネジの先端と電気機器の前面側に形成されているフランジ部との間でパネルを挟持することで、電気機器をパネルに固定している。
【特許文献１】特開２００２−１５０９１２号公報
【発明の開示】
【発明が解決しようとする課題】
【０００４】
しかしながら、従来のパネル用機器の取付構造では、取付ネジが電気機器の背面側におけるパネルの背面側に露出した部分の周囲から外側に露出する。このため、複数の電気機器を互いに近接した状態でパネルに配置することができない問題がある。
【０００５】
また、従来のパネル用機器の取付構造では、金具は電気機器の一部でパネルの厚さ方向における所定範囲内を移動自在に装着されており、取付ネジを締め込むことで所定範囲の最も背面側に当接した状態で電気機器に位置決めされる。このため、パネルの厚さ方向について薄型化された電気機器では金具を移動させるための十分な範囲を設けることができず、薄型の電気機器に適用することができない問題がある。
【０００６】
この発明の目的は、金具及び電気機器の背面を貫通した後に電気機器の内部に螺合する取付ネジを介して電気機器のフランジ部と金具の前端とにパネルを挟持させることで、複数の電気機器を互いに近接した状態でパネルに配置できるとともに、薄型の電気機器にも適用できるパネル用機器の取付構造を提供することにある。
【課題を解決するための手段】
【０００７】
この発明のパネル用機器の取付構造は、機器の背面側の一部をパネルに形成された孔部に前記パネルの前面側から背面側に向かって貫通させた状態で、前記機器を前記パネルに取り付けるパネル用機器の取付構造であって、取付金具、取付ネジ、雌ネジ部材を備えている。取付金具は、支持部と延出部とを有する。支持部は、パネルの背面側で機器の背面に対向する。延出部は、支持部からパネルの厚さ方向に沿ってパネルの背面に向かって延出する。取付ネジは、頭部がパネルの厚さ方向に沿って支持部に当接し、ネジ部が支持部及び機器の背面をこの順に貫通する。雌ネジ部材は、機器の内部でネジ部が螺合する。
【０００８】
この構成では、背面側の一部をパネルに形成された孔部にパネルの前面側から背面側に向かって貫通させた機器の背面に、取付金具の支持部が対向する。取付ネジのネジ部を、支持部及び機器の背面にこの順に貫通させた後、機器の内部で雌ネジ部材に螺合させる。取付ネジの頭部と支持部との当接によって取付金具がパネルの厚さ方向に沿ってパネルに向かって移動し、機器の前面に形成されたフランジ部と取付金具の延出部の前端との間にパネルが挟持される。取付ネジは、機器の背面を貫通するため、機器の周囲から外側に露出することがない。また、取付金具は、機器に直接装着する必要がなく、機器の大きさに影響を与えない。
【０００９】
この構成において、取付金具に支持部の両端から互いに平行に延出する２個の延出部を備えてもよい。２個の延出部が、パネルの厚さ方向に直交する面内で機器の背面側を挟んで配置される。パネルは、機器の前面に形成されたフランジ部と取付金具の２個の延出部の前端との間で挟持される。機器をパネルに確実に固定できる。
【００１０】
また、雌ネジ部材は、機器の内部に着脱自在にしてもよい。機器の内部にネジ孔を形成する必要がなく、機器を容易に製造することができる。
【００１１】
さらに、雌ネジ部材は、機器の内部に一体に形成してもよい。部品点数の削減により、機器の組立作業を容易にすることができる。
【発明の効果】
【００１２】
この発明によれば、金具及び機器の背面を貫通した後に機器の内部に螺合する取付ネジを介して機器のフランジ部と金具の前端とにパネルを挟持させることができ、複数の機器を互いに近接した状態でパネルに配置することができる。また、金具を機器に直接装着する必要をなくし、金具の移動が機器の大きさに影響を与えないようにすることができ、薄型の電気機器にも適用できる。
【発明を実施するための最良の形態】
【００１３】
図１は、この発明の実施形態に係るパネル用機器の取付構造の一例を示す分解斜視図である。図１に示す取付構造は、制御盤等のパネルに表示灯装置１０等の電気機器を取り付ける際に使用される。図１中のＸ軸方向は、この発明のパネルの厚さ方向であり、表示灯装置１０の前後方向である。図１中のＹ軸方向は、水平面内でＸ軸方向に直交する表示灯装置１０の左右方向である。図１中のＺ軸方向は、Ｘ軸方向及びＹ軸方向に直交する表示灯装置１０の上下方向である。
【００１４】
表示灯装置１０は、本体１、表示灯２、取付金具３、取付ネジ４、雌ネジ部材５、中間部材６、端部部材７を備えている。
【００１５】
本体１は、一例としてアルミニウムを素材として押出加工によって長尺状に形成された後、適宜必要な長さに切断される。図１に示す例では、３個の表示灯２を収納できる長さに切断されている。本体１には、３個の開口部１１、１２個の取付孔１２、６個の貫通孔１３が打ち抜き加工等によって設けられる。本体１は、充分な強度を備えることを条件として、樹脂を素材として形成することもできる。本体１の上下の前端部には、上方及び下方に延出したフランジ部１４，１５が形成されている。
【００１６】
３個の表示灯２のそれぞれは、一例として内部に光源としての単一または複数のＬＥＤを収納している。表示灯２の背面には、上端部及び下端部のそれぞれ２箇所の合計４箇所に、上下方向に弾性変形する爪２１が形成されている。各表示灯３は、本体１の前面側から本体１内に収納され、各爪２１が各取付孔１２に弾性的に係合することで本体１に固定される。
【００１７】
中間部材６は、３個の表示灯２のそれぞれの間に配置され、隣接する２個の表示灯２を連結する。２個の中間部材６は、３個の表示灯２とともに、本体１内に収納される。
【００１８】
端部部材７は、３個の表示灯２及び２個の中間部材６を収納した本体１の左右の端部に装着される。端部部材７は、上下対称形状に成型されている。同一形状の２個の端部部材７のそれぞれが、本体１の両端のそれぞれに装着される。
【００１９】
取付金具３は、一例としてＳＵＳ３１０等の金属板を素材とするプレス加工により、支持部３１の上下端から延出部３２，３３が延出した形状に成型されている。支持部３１には、上下２箇所に貫通孔３４，３５が形成されている。
【００２０】
雌ネジ部材５は、一例としてＳＵＳ３１０等の金属板を素材とするプレス加工により、左右端から取付片５１，５２が背面側に突出した矩形の平板状に形成されている。雌ネジ部材５には、中央部にネジ孔５３が形成されている。２個の雌ネジ部材５のそれぞれが、取付片５１，５２のそれぞれを貫通孔１３を挟む２個の取付孔１２に挿入された状態で、本体１の内部に装着される。このとき、ネジ孔５３が、貫通孔１３に対向する。本体１に表示灯２を収納した状態で、本体１における雌ネジ部材５の移動が規制される。
【００２１】
２個の取付ネジ４は、ネジ部４１と頭部４２とからなる。ネジ部４１は、表示灯装置１０の背面側から、それぞれ取付金具３の貫通孔３４，３５、本体１の貫通孔１３をこの順に貫通し、雌ネジ部材５のネジ孔５３に螺合する。頭部４２は、貫通孔３４，３５を貫通することはなく、取付金具３の支持部３１の背面に当接する。
【００２２】
図２（Ａ）〜（Ｃ）は、上記取付構造による電気機器のパネルへの取付状態を示す断面図である。表示灯装置１０をパネル１００に取り付ける際には、図２（Ａ）に示すように、先ず、本体１の背面側をパネル１００の開口部（孔部）１０１に、パネル１００の前面側から貫通させる。次いで、パネル１００の背面側で、本体１の背面に取付金具３を配置した状態で、２本の取付ネジ４のそれぞれのネジ部４１を、取付金具３の貫通孔３４，３５、及び本体１の貫通孔１３にこの順に貫通させる。本体１には、予め２個の雌ネジ部材５を装着しておく。貫通孔１２を貫通したネジ部４１を、雌ネジ部材５のネジ孔５３に螺合させる。
【００２３】
図２（Ｂ）に示すように、ネジ孔５３に螺合した２本の取付ネジ４をパネル１００の背面側から前面側に向けて締め込んでいくと、取付ネジ４の頭部４２が取付金具３をパネル１００に向けて押圧する。取付金具３は、パネル１００に向かって移動し、延出部３２，３３の前端がパネル１００の背面に当接する。
【００２４】
雌ネジ部材５のネジ孔５３に対する取付ネジ４の締結力は、本体１をパネル１００の背面側に向けて付勢するとともに、取付金具３をパネル１００の前面側に向けて付勢する。この締結力によって延出部３２，３３の前端は、本体１のフランジ１４，１５との間にパネル１００における開口部１０１の周縁部を挟持し、本体１がパネル１００に固定される。
【００２５】
この後、図２（Ｃ）に示すように、本体１の内部に前面側から３個の表示灯２を２個の中間部材６とともに収納し、本体１の左右の端部に端部部材を装着することで、パネル１００への表示灯装置１０の取付作業が完了する。
【００２６】
本体１の３個の開口部１１のそれぞれからは、表示灯２の背面に設けられた電気接続用の端子が露出する。本体１に収納された表示灯２には、開口部１１を介して信号線や電源線を接続される。
【００２７】
２本の取付ネジ４は、本体１の背面から内部に挿入されるため、パネル１００の背面側で本体１の周囲から外側に露出することがない。取付金具３内で延出部３２，３３を、本体１のフランジ１４，１５の上下端の範囲内に形成することで、フランジ１４，１５と延出部３２，３３との間にパネル１００を確実に挟持できる。また、複数の表示灯装置１０をフランジ１５とフランジ１４とが上下方向に当接するまで近接させて配置することができる。
【００２８】
また、取付金具３は本体１に直接装着されないため、取付金具３のＸ軸方向の移動範囲が本体１の形状に影響を与えることがない。薄型の電気機器にもこの発明の構成を適用できる。
【００２９】
なお、本体１のＹ軸方向の長さに応じて任意の数の取付金具３を備えることができる。本体１の表示灯２の収納数は３個に限るものではなく、Ｙ軸方向について本体１を収納すべき表示灯２の数に応じた長さに切断することで、１個を含む任意の数の表示灯２を収納することができる。
【００３０】
また、雌ネジ部材５は、本体１に一体的に形成することもできる。表示灯装置１０の部品点数を削減し、組立作業を簡略化できる。
【００３１】
さらに、本体１に収納する電気機器は、表示灯１２に限るものではなく、本体１に収納可能な形状であることを条件に、押しボタンスイッチ等の任意の電気機器を本体１に収納することができる。
【００３２】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００３３】
【図１】この発明の実施形態に係るパネル用機器の取付構造の一例を示す分解斜視図である。
【図２】（Ａ）〜（Ｃ）は、上記取付構造による電気機器のパネルへの取付状態を示す断面図である。
【符号の説明】
【００３４】
１  本体
２  表示灯
３  取付金具
４  取付ネジ
５  雌ネジ部材
１０  表示灯装置
１１  開口部
１２  取付孔
１３  貫通孔
３１  支持部
３２，３３  延出部
３４，３５  貫通孔
４１  ネジ部
４２  頭部
５３  ネジ孔
【図１】
2008289263.tif 000003
【図２】
2008289263.tif 000004